【事件の表示】
　特願２０１６−５５４４３９「ユーザにより生成される仮想部屋ベースのユーザインタフェイス」拒絶査定不服審判事件〔平成２７年　９月　３日国際公開、ＷＯ２０１５／１３０４７５、平成２９年　７月１３日国内公表、特表２０１７−５１９２５９、請求項の数（１７）〕について、次のとおり審決する。
【結　論】
　原査定を取り消す。
　本願の発明は、特許すべきものとする。
【理　由】
第１　手続の経緯
　本願は、２０１５年（平成２７年）２月１２日（パリ条約による優先権主張　２０１４年　２月２６日　米国）を国際出願日とする出願であって、平成２９年１２月１３日付けで手続補正がされ、平成３０年８月２７日付けで拒絶理由通知がされ、平成３０年１１月２６日に手続補正がされ、平成３１年４月２４日付けで拒絶査定（原査定）がされ、これに対し、令和元年９月５日に拒絶査定不服審判の請求がされると同時に手続補正がされたものである。
　第２　原査定の概要
　原査定（平成３１年４月２４日付け拒絶査定）の概要は次のとおりである。
　本願請求項１−２０に係る発明は、以下の引用文献１−２に基づいて、その発明の属する技術の分野における通常の知識を有する者（以下、「当業者」という。）が容易に発明できたものであるから、特許法第２９条第２項の規定により特許を受けることができない。
　　引用文献等一覧
１.特表２０１２−５２９１４７号公報
２.国際公開第２０１３／１３７１９１号
第３　本願発明
　本願請求項１−１７に係る発明（以下、それぞれ「本願発明１」−「本願発明１７」という。）は、令和元年９月５日になされた手続補正で補正された特許請求の範囲の請求項１−１７に記載された事項により特定される発明であり、以下のとおりの発明である（補正箇所に下線を付した）。
「【請求項１】
　建造物の物理的な部屋内の１つ以上の装置を制御する仮想部屋ベースのユーザインタフェイスの仮想部屋を生成する方法であって、
　該物理的な部屋内の該１つ以上の装置により提供される１つ以上のサービスを選択するようモバイル装置のユーザに指示し、該１つ以上の装置の各々が該装置に対応するサービスを提供するものであり、
　前記物理的な部屋の複数のイメージを前記モバイル装置上で取得し、該複数のイメージの各々が実質的に同じ視点を共有するものであり、
　前記モバイル装置上で該複数のイメージを位置合わせして、位置合わせされたイメージスタックを生成し、
　前記モバイル装置上で１つ以上のヒットボックスを指定し、該１つ以上のヒットボックスの各々が、前記１つ以上の装置のうちの１つと一致するものであり、
　前記モバイル装置上で前記位置合わせされたイメージスタック及び前記指定された１つ以上のヒットボックスに基づいて仮想部屋を生成し、該仮想部屋が、前記物理的な部屋内の前記１つ以上の装置を制御するためにユーザが使用することが可能なものであり、及び前記物理的な部屋内の前記１つ以上の装置により生じる変化を反映するように動的に更新される視覚的外観を有するものである、
仮想部屋ベースのユーザインタフェイスの仮想部屋を生成する方法。
　【請求項２】
　前記仮想部屋が、前記物理的な部屋のフォト・リアリスティックな描写を提供し、該物理的な部屋の該フォト・リアリスティックな描写が、前記１つ以上の装置のフォト・リアリスティックな描写を含む、請求項１に記載の方法。
　【請求項３】
　前記１つ以上の装置の前記フォト・リアリスティックな描写の各々が、それぞれの装置の現在の状態を描写する、請求項２に記載の方法。
　【請求項４】
　前記複数のイメージが、前記１つ以上のサービスの全てが非アクティブ状態にある全てオフのイメージと、単一のサービスがアクティブ状態にあり他のあらゆるサービスが非アクティブ状態にある１つ以上のサービス固有イメージとを含む、請求項１に記載の方法。
　【請求項５】
　前記物理的な部屋の前記複数のイメージを前記モバイル装置上で取得することが、前記複数のイメージの各々を前記モバイル装置のカメラを使用してキャプチャすることを更に含む、請求項１に記載の方法。
　【請求項６】
　前記複数のイメージの各々を前記モバイル装置のカメラを使用してキャプチャすることが、前記物理的な部屋内のサービスを非アクティブ化し、次いで一度に１つのサービスを順次アクティブ化する間に行われる、請求項５に記載の方法。
　【請求項７】
　前記物理的な部屋の前記複数のイメージを前記モバイル装置上で取得することが、イメージライブラリ内の以前にキャプチャしたイメージを割り当てることを更に含む、請求項１に記載の方法。
　【請求項８】
　前記複数のイメージを位置合わせすることが、
　該複数のイメージのうちの第１のイメージを該複数のイメージのうちの少なくとも１つの第２のイメージ上に重ねて表示し、及び、
　該第１のイメージ及び該第２のイメージの特徴を一致させるようユーザ入力に応じて該第１のイメージ及び該第２のイメージを調節することを更に含む、請求項１に記載の方法。
　【請求項９】
　前記モバイル装置上で前記１つ以上のヒットボックスを指定することが、前記位置合わせされたイメージスタックに関する入力に基づくものである、請求項１に記載の方法。
　【請求項１０】
　前記生成された仮想部屋をテストし、及び、
　該テストに応じて、該生成された仮想部屋を完成させ、又は、前記サービスの前記選択、前記イメージの取得、前記イメージの前記位置合わせ、前記ヒットボックスの前記指定、もしくは前記仮想部屋の前記生成のうちの１つ以上を繰り返して該仮想部屋を改良することを更に含む、請求項１に記載の方法。
　【請求項１１】
　建造物の物理的な部屋内の１つ以上の装置を制御する仮想部屋ベースのユーザインタフェイスの仮想部屋を生成するモバイル装置であって、
　タッチセンサ式表示画面と、
　カメラと、
　コンフィギュレーションアプリケーションを格納するよう構成されたメモリと、
　該コンフィギュレーションアプリケーションを実行するよう構成されたプロセッサとを備えており、該コンフィギュレーションアプリケーションが、その実行時に、
　前記物理的な部屋内の前記１つ以上の装置により提供される１つ以上のサービスを選択するよう前記モバイル装置のユーザに指示し、
　
該コンフィギュレーションアプリケーションがホームオートメーション又は装置制御システムに前記サービスを非アクティブ化させ、次いで一度に１つのサービスを順次アクティブ化させる間に、
　該複数のイメージを位置合わせして、位置合わせされたイメージスタックを生成し、
　前記モバイル装置の前記タッチセンサ式表示画面上の入力に応じて１つ以上のヒットボックスを指定し、該１つ以上のヒットボックスの各々が、前記１つ以上の装置のうちの１つと一致するものであり、及び、
　前記位置合わせされたイメージスタック及び前記指定された１つ以上のヒットボックスに基づいて、前記物理的な部屋内の前記１つ以上の装置を制御するためにユーザが使用することが可能な仮想部屋を生成するよう動作するものである、モバイル装置。
　【請求項１２】
　前記仮想部屋が、前記物理的な部屋のフォト・リアリスティックな描写を提供し、該物理的な部屋の該フォト・リアリスティックな描写が、前記１つ以上の装置のフォト・リアリスティックな描写を含む、請求項１１に記載のモバイル装置。
　【請求項１３】　前記１つ以上の装置の前記フォト・リアリスティックな描写の各々が、それぞれの装置の現在の状態を描写するものである、請求項１２に記載のモバイル装置。
　【請求項１４】　前記複数のイメージが、前記物理的な部屋内で提供される前記１つ以上のサービスの全てが非アクティブ状態にある全てオフのイメージと、前記１つ以上のサービスのうちの単一のサービスがアクティブ状態にあり他のあらゆるサービスが非アクティブ状態にある１つ以上のサービス固有イメージとを含む、請求項１１に記載のモバイル装置。
　【請求項１５】　前記コンフィギュレーションアプリケーションが、その実行時に、前記複数のイメージのうちの第１のイメージを該複数のイメージのうちの少なくとも１つの第２のイメージ上に重ねて前記タッチセンサ式表示画面上に表示し、及び、該タッチセンサ式表示画面上のユーザからのタッチ入力に応じて、該第１のイメージ及び該第２のイメージの特徴を一致させるよう該第１のイメージ及び該第２のイメージを調節するよう更に動作する、請求項１１に記載のモバイル装置。
　【請求項１６】　前記コンフィギュレーションアプリケーションが、その実行時に、前記タッチセンサ式表示画面上のユーザからのタッチ入力に基づいて複数の前記ヒットボックスを指定するよう更に動作する、請求項１１に記載のモバイル装置。
　【請求項１７】　前記コンフィギュレーションアプリケーションが、その実行時に、前記生成された仮想部屋をテストし、及び該生成された仮想部屋を完成させ、又は該生成された仮想部屋を改良するための動作を繰り返すよう更に動作する、請求項１１に記載のモバイル装置。」
第４　引用文献、引用発明
　１．引用文献１について
（１）引用文献１記載事項　原査定の拒絶の理由に引用された引用文献１には、図面ともに、次の事項が記載されている（下線は、強調のために当審で付加したものである。以下、同様。）。
「【００１７】　図４は、複数の装置に対して相互接続された例示的なプログラム可能なマルチメディアコントローラ400のブロック図である。用語
「プログラム可能なマルチメディアコントローラ」は、様々な電気装置及び電子装置（オーディオ、ビデオ、電話、データ、セキュリティ、モータ駆動、暖房・換気・空調（HVAC）、エネルギー管理、及び／又はその他の種類の装置等）を制御し、それらの間でデータを交換し、及び／又はかかる装置と協働することができる装置
「【００２４】　
プログラム可能なマルチメディアコントローラ400はまた、１つ又は２つ以上のモバイル装置460を介してユーザ入力を受信することが可能であ
「モバイル装置」とは、身につけて運ばれるよう構成された電子装置（Apple Inc.から入手できるiPhone（登録商標）マルチメディアフォンやResearch In Motion Limitedから入手できるBlackberry（登録商標）装置等のマルチメディアスマートフォン、Apple Inc.から入手できるiPad（登録商標）タブレット等の多目的タブレットコンピューティング装置、Apple Inc.から入手できるiPod touch（登録商標）等の機能強化された携帯型メディアプレーヤ、PDA（Personal Digital Assistant）、電子ブックリーダなどを含む）を称するものであ
「【００２８】　好適な実施形態では、該新規の
仮想部屋ベースのユーザインタフェイスは、
モバイル装置460
上に表示され、
「【００３６】　かかる
プログラム可能なマルチメディアコントローラ400又はその他のプラットフォームは、
仮想部屋ベースのユーザインタフェイスをサポート
各仮想部屋は、住居その他の建築物内の異なる物理的な一部屋（又は物理的な一部屋の一部）に対応するものであ
該物理的な一部屋（又は該物理的な一部屋の一部）内にあるプログラム可能なマルチメディアコントローラによる（直接的又は間接的な）制御下にある装置、例えば照明設備を示す
「【００４１】　例えば、
ユーザは、仮想部屋内の照明設備の実質的にフォト・リアリスティックな視覚的な描写を選択する（例えば該描写にタッチし又は該描写上でクリックする）ことにより、特定の照明設備を選択し作動さ
「【００５７】　図１１は、
仮想部屋ベースのユーザインタフェイスを使用して物理的な部屋内の装置を制御するため
プログラム可能なマルチメディアコントローラ400が、該物理的な部屋（又は該物理的な部屋の一部）の実質的にフォト・リアリスティックな描写、及び該物理的な部屋内の装置（例えば照明設備）の実質的にフォト・リアリスティックな描写を含む、仮想部屋を描画
描画された仮想部屋が、
モバイル装置460
上に表示され
マルチメディアコントローラ400が、ユーザからの選択（例えば、タッチ選択、ボタン押下、環状タッチセンサ入力等）を受信
該選択は、仮想部屋内の装置（例えば特定の照明設備）の特定の実質的にフォト・リアリスティックな視覚的描写を指示
【００５８】　ステップ1140で、
プログラム可能なマルチメディアコントローラ400は、物理的な部屋内の該装置へ
制御コマンドを送って、該装置の状態を変更させ
プログラム可能なマルチメディアコントローラ400は、仮想部屋の外観を更新させ、
該仮想部屋及び該仮想部屋内の装置の視覚的描写を描画して、更新された状態（例えば、作動された照明設備）を示
【００５９】　物理的な部屋の実質的にフォト・リアリスティックな描写、及び該物理的な部屋内の装置の実質的にフォト・リアリスティックな描写を含む、仮想部屋は、図１１のステップ1110において様々な任意の異なる態様で描画することが可能である。一実施形態では、
システムコンフィギュレーション中に、インストーラが、所定の場所から物理的な部屋の複数のイメージを捕捉する（例えばディジタルスチル写真を撮る）ことが可能であり、該部屋の各イメージは、異なる潜在的状態にあるときに捕捉され
第１のイメージを、照明設備が全く作動していない状態で物理的な部屋から捕捉し、第２のイメージを、第１の照明設備が作動している状態で物理的な部屋から捕捉し、第３のイメージを、第２の照明設備が作動している状態で物理的な部屋から捕捉し、第４のイメージを、第１の照明設備及び第２の照明設備が作動している状態で物理的な部屋から捕捉する、といった具合で、考え得るあらゆる組み合わせが捕捉され
該イメージは、それらイメージ間で特徴の場所が一致するよう相関づけを行って、プログラム可能なマルチメディアコントローラ400又はその他の装置上のライブラリに格納
描画
は、単純に、適当な状態の装置と共に物理的な部屋を示す該物理的な部屋の適当な格納済みイメージへのアクセスを伴
【００６０】　しかし、かかる技術は、特定の用途では実施可能であるが、部屋内の装置の数が増えるにつれて、考え得る各状態の該部屋を表現するために必要となる予め記録されたイメージの数が指数関数的に増加することになる。ｎ個の装置を有する部屋は、その各装置が二値（例えば、オン又はオフ）しか有さない場合、該装置の考え得る組み合わせの全てを表現するために２n個の予め記録されたイメージを必要とする。３つ以上の考え得る状態（例えば、一定範囲の調光設定）を有する装置を導入する場合には、必要となる予め記録されたイメージの数が更に増加することになる。したがって、より少数の予め記録されたイメージから部屋の追加の状態を導出することができる技術を用いることが望ましい。
【００６１】　好適な実施形態では、物理的な部屋の実質的にフォト・リアリスティックな描写と、該物理的な部屋内の装置の実質的にフォト・リアリスティックな描写とを含む仮想部屋は、図１１のステップ1110で、
限られた数の予め記録されたイメージ（例えば該物理的な部屋の限られた数のディジタルスチル写真）から描画され
新規のミキシング技術に従って、該部屋の考え得る状態の全てを、前記ｎ＋１個の予め記録されたイメージから、その表示を行う際に生成
（２）引用発明
　　したがって、引用文献１には、次の発明（以下、「引用発明」という。）が記載されている。
「「プログラム可能なマルチメディアコントローラ」は、様々な電気装置及び電子装置（オーディオ、ビデオ、電話、データ、セキュリティ、モータ駆動、暖房・換気・空調（HVAC）、エネルギー管理、及び／又はその他の種類の装置等）を制御し、それらの間でデータを交換し、及び／又はかかる装置と協働することができる装置（段落【００１７】）であり、
　プログラム可能なマルチメディアコントローラ400はまた、１つ又は２つ以上のモバイル装置460を介してユーザ入力を受信することが可能であり、
　「モバイル装置」とは、身につけて運ばれるよう構成された電子装置（Apple Inc.から入手できるiPhone（登録商標）マルチメディアフォンやResearch In Motion Limitedから入手できるBlackberry（登録商標）装置等のマルチメディアスマートフォン、Apple Inc.から入手できるiPad（登録商標）タブレット等の多目的タブレットコンピューティング装置、Apple Inc.から入手できるiPod touch（登録商標）等の機能強化された携帯型メディアプレーヤ、PDA（Personal Digital Assistant）、電子ブックリーダなどを含む）を称するものであ（段落【００２４】）り、
　仮想部屋ベースのユーザインタフェイスは、モバイル装置460上に表示され、ユーザは、該インタフェイスの選択部分を、指、スタイラス、又は同様の手段で触れることにより、その選択を行い（段落【００２８】）、
　プログラム可能なマルチメディアコントローラ400又はその他のプラットフォームは、仮想部屋ベースのユーザインタフェイスをサポートし、各仮想部屋は、住居その他の建築物内の異なる物理的な一部屋（又は物理的な一部屋の一部）に対応するものであり、該物理的な一部屋（又は該物理的な一部屋の一部）内にあるプログラム可能なマルチメディアコントローラによる（直接的又は間接的な）制御下にある装置、例えば照明設備を示し（段落【００３６】）、
　ユーザは、仮想部屋内の照明設備の実質的にフォト・リアリスティックな視覚的な描写を選択する（例えば該描写にタッチし又は該描写上でクリックする）ことにより、特定の照明設備を選択し作動させ（段落【００４１】）、
　仮想部屋ベースのユーザインタフェイスを使用して物理的な部屋内の装置を制御するために、
　プログラム可能なマルチメディアコントローラ400が、該物理的な部屋（又は該物理的な部屋の一部）の実質的にフォト・リアリスティックな描写、及び該物理的な部屋内の装置（例えば照明設備）の実質的にフォト・リアリスティックな描写を含む、仮想部屋を描画し、描画された仮想部屋が、モバイル装置460上に表示され、マルチメディアコントローラ400が、ユーザからの選択（例えば、タッチ選択、ボタン押下、環状タッチセンサ入力等）を受信し、該選択は、仮想部屋内の装置（例えば特定の照明設備）の特定の実質的にフォト・リアリスティックな視覚的描写を指示（段落【００５７】）し、
　プログラム可能なマルチメディアコントローラ400は、物理的な部屋内の該装置へ制御コマンドを送って、該装置の状態を変更させ、プログラム可能なマルチメディアコントローラ400は、仮想部屋の外観を更新させ、該仮想部屋及び該仮想部屋内の装置の視覚的描写を描画して、更新された状態（例えば、作動された照明設備）を示し（段落【００５８】）、
　システムコンフィギュレーション中に、インストーラが、所定の場所から物理的な部屋の複数のイメージを捕捉する（例えばディジタルスチル写真を撮る）ことが可能であり、該部屋の各イメージは、異なる潜在的状態にあるときに捕捉され、第１のイメージを、照明設備が全く作動していない状態で物理的な部屋から捕捉し、第２のイメージを、第１の照明設備が作動している状態で物理的な部屋から捕捉し、第３のイメージを、第２の照明設備が作動している状態で物理的な部屋から捕捉し、第４のイメージを、第１の照明設備及び第２の照明設備が作動している状態で物理的な部屋から捕捉する、といった具合で、考え得るあらゆる組み合わせが捕捉され、該イメージは、それらイメージ間で特徴の場所が一致するよう相関づけを行って、プログラム可能なマルチメディアコントローラ400又はその他の装置上のライブラリに格納し、適当な状態の装置と共に物理的な部屋を示す該物理的な部屋の適当な格納済みイメージへのアクセスを伴（段落【００５９】）い、
　限られた数の予め記録されたイメージ（例えば該物理的な部屋の限られた数のディジタルスチル写真）から描画され、新規のミキシング技術に従って、該部屋の考え得る状態の全てを、前記ｎ＋１個の予め記録されたイメージから、その表示を行う際に生成する（段落【００６１】）、
　仮想部屋ベースのユーザインタフェイスの仮想部屋の描画方法。」
　２．引用文献２について
　また、原査定の拒絶の理由に引用された上記引用文献２には、以下の記載がある。
「[0014]
［第１実施形態］
［構成］
　以下、本発明の第１実施形態について図面を参照して説明する。
　図１は、第１実施形態の遠隔指示システム１の構成を示すブロック図である。遠隔指示システム１は、通信装置１０、記憶装置２０、通信回線２、指示装置３０、移動装置４０、エアコン４及びテレビ５を備える。記憶装置２０及び通信回線２は部屋３の外（つまり室外）の設備であり、指示装置３０、移動装置４０、
エアコン４及びテレビ５は部屋３の内部
に設置されている設備
通信装置１０を所持するユーザが、エアコン４及びテレビ５の動作を
指示するためのシステムであ
指示装置３０および移動装置４０は、ユーザの指示を中継する中継装置
「[0020]
　
通信装置１０は、例えば、スマートフォンやタブレット端末などであり、
「[0022]
　以下、上記の各装置のハードウェア構成を説明する。
図２は、通信装置１０のハードウェア構成を示す図である。
通信装置１０は、
タッチスクリーン部１５０とを備え
[0023]
　
タッチスクリーン部１５０は、画像を表示するとともにユーザの操作を受け付ける手段であり、
「[0056]
　上述したモーション動作処理が行われた後に、図１４に示すショートカット対応付け処理が行われることで、コマンドデータがショートカット領域に対応付けられる例について説明する。この例では、ステップＳ６３において、図１７（ｂ）に示す撮影画像Ｃ３が表示面１５３に表示されている。ユーザは、この撮影画像Ｃ３の或る領域を選択する。
　図１８は、ショートカット対応付け処理において
表示面
に表示される撮影画像
テレビ５の画面部分を含むように領域Ｅ２を選択し
「テレビ電源ＯＮ／ＯＦＦ」という文字列を、領域Ｅ２をショートカット領域として対応付けるものとして選択
「テレビ電源ＯＮ／ＯＦＦ」という文字列が示すコマンドのコマンドデータと、領域Ｅ２を示すデータとを対応付けて記憶
[0057]
　以上のショートカット
対応付け処理が行われることにより、上述したコマンド動作処理が実行され
　図１９は、コマンド動作処理の手順を示すシーケンスチャートである。ここでは、モーション動作処理が行われて、移動装置４０が場所Ｂ５に移動した状態となっている場合を例にとって説明する。まず、図１６に示すステップＳ８１、Ｓ８２、Ｓ８３の処理がそれぞれ行われ、表示面１５３に場所Ｂ５で撮影された撮影画像が表示される。
[0058]
　図２０は、コマンド動作処理において表示面１５３に表示される撮影画像の例を示す図である。図２０（ａ）では、この例におけるステップＳ８３において表示される撮影画像Ｃ４が示されている。撮影画像Ｃ４には、電源が入っていないテレビ５が映っている。ユーザは、この
撮影画像Ｃ４を見て、テレビ５の電源が入っていないことを確認し、テレビ５の電源を入れる操作、すなわち領域Ｅ２を選択する操作を行
「
」
「
」
第５　対比・判断
　１．本願発明１について
　（１）対比
ア　引用発明の「物理的な部屋」、「仮想部屋の描画」は、それぞれ本願発明１の「建造物の物理的な部屋」、「仮想部屋の生成」に相当する。
　そして、引用発明の「仮想部屋の描画方法」は、「仮想部屋ベースのユーザインタフェイスを使用して物理的な部屋内の装置を制御するために、プログラム可能なマルチメディアコントローラ400が、該物理的な部屋（又は該物理的な部屋の一部）の実質的にフォト・リアリスティックな描写、及び該物理的な部屋内の装置（例えば照明設備）の実質的にフォト・リアリスティックな描写を含む、仮想部屋を描画」するものであるから、本願発明１の「建造物の物理的な部屋内の１つ以上の装置を制御する仮想部屋ベースのユーザインタフェイスの仮想部屋を生成する方法」に相当する。
イ　引用発明は、「
各仮想部屋は、住居その他の建築物内の異なる物理的な一部屋（又は物理的な一部屋の一部）に対応するものであり」、
　ここで、作動される建築物内の物理的な部屋内の「特定の照明装置」は、本願発明１の「該物理的な部屋内の該１つ以上の装置」に相当する。
　また、「特定の照明装置」が作動した場合、部屋を明るくするというサービスが提供されていることは自明であるから、「特定の照明装置」を作動させることは、「該１つ以上の装置により提供するものであ」るといえる。
　そして、「仮想部屋ベースのユーザインタフェイス」は、「モバイル装置４６０」上に表示されており、「仮想部屋ベース内の照明設備」の選択をユーザに行わせているから、「該物理的な部屋内の該１つ以上の装置により提供される１つ以上のサービスを選択するようモバイル装置のユーザに指示し」ているといえる。
　したがって、引用発明は、「該物理的な部屋内の該１つ以上の装置により提供される１つ以上のサービスを選択するようモバイル装置のユーザに指示し、該１つ以上の装置の各々が該装置に対応するサービスを提供するものであ」ると認められる。
　よって、引用発明の「各仮想部屋は、住居その他の建築物内の異なる物理的な一部屋（又は物理的な一部屋の一部）に対応するものであり」、「仮想部屋ベースのユーザインタフェイスは、モバイル装置460上に表示され、ユーザは、仮想部屋内の照明設備を選択する（例えば該描写にタッチし又は該描写上でクリックする）ことにより、特定の照明設備を選択し作動させ」ることは、本願発明１の「該物理的な部屋内の該１つ以上の装置により提供される１つ以上のサービスを選択するようモバイル装置のユーザに指示し、該１つ以上の装置の各々が該装置に対応するサービスを提供するものであ」ることに相当している。
ウ　引用発明は、「インストーラが、所定の場所から物理的な部屋の複数のイメージを捕捉する（例えばディジタルスチル写真を撮る）ことが可能であり、該部屋の各イメージは、異なる潜在的状態にあるときに捕捉され」ており、「物理的な部屋の複数のイメージ」を「インストーラ」が「捕捉」し、該部屋の各イメージは「異なる潜在的状態にあるときに」「所定の場所から」捕捉されたものであると認められる。
　ここで、引用発明における「イメージの捕捉」は、本願発明１の「イメージを取得」することに相当する。また、引用発明における「該部屋の各イメージ」は、「所定の場所」から「異なる潜在的状態」にあるときに捕捉されていることから、実質的に同じ視点を共有するものであるといえる。
　よって、引用発明の「インストーラが、所定の場所から物理的な部屋の複数のイメージを捕捉する（例えばディジタルスチル写真を撮る）ことが可能であり、該部屋の各イメージは、異なる潜在的状態にあるときに捕捉され」ることは、本願発明１の「前記物理的な部屋の複数のイメージを前記モバイル装置上で取得し、該複数のイメージの各々が実質的に同じ視点を共有するものであ」ることとは、「前記物理的な部屋の複数のイメージを取得し、該複数のイメージの各々が実質的に同じ視点を共有するものであ」る点で共通している。
エ　引用発明の「該イメージは、それらイメージ間で特徴の場所が一致するよう相関づけを行って、プログラム可能なマルチメディアコントローラ400又はその他の装置上のライブラリに格納」しており、「イメージ間で特徴の場所が一致するよう相関付けを行う」ことは、イメージの位置合わせといえ、相関づけされた「イメージ」はライブラリに格納されているから、該複数のイメージを位置合わせして、位置合わせされたイメージスタックを生成しているといえる。
　よって、引用発明の「該イメージは、それらイメージ間で特徴の場所が一致するよう相関づけを行って、プログラム可能なマルチメディアコントローラ400又はその他の装置上のライブラリに格納」することは、本願発明１の「前記モバイル装置上で該複数のイメージを位置合わせして、位置合わせされたイメージスタックを生成し」ていることとは、「該複数のイメージを位置合わせして、位置合わせされたイメージスタックを生成し」ている点で共通している。
オ　引用発明の「適当な状態の装置と共に物理的な部屋を示す
該物理的な部屋の適当な格納済みイメージ
から描画され、新規のミキシング技術に従って、
表示を行う際に生成する
　したがって、引用発明の「適当な状態の装置と共に物理的な部屋を示す該物理的な部屋の適当な格納済みイメージへのアクセスを伴い、限られた数の予め記録されたイメージ（例えば該物理的な部屋の限られた数のディジタルスチル写真）から描画され、新規のミキシング技術に従って、該部屋の考え得る状態の全てを、前記ｎ＋１個の予め記録されたイメージから、その表示を行う際に生成する」ことと本願発明１の「前記モバイル装置上で前記位置合わせされたイメージスタック及び前記指定された１つ以上のヒットボックスに基づいて仮想部屋を生成し」ていることとは、「前記位置合わせされたイメージスタックに基づいて仮想部屋を生成し」ている点で共通している。
カ　上記「第５　１．（１）ア」で検討したとおり、引用発明の「仮想部屋ベースのユーザインタフェイス」は、「前記物理的な部屋内の前記１つ以上の装置を制御する仮想部屋ベースのユーザインタフェイス」であり、ユーザインタフェイスは、ユーザが使用することが可能なものであることは技術常識であるから、「前記物理的な部屋内の前記１つ以上の装置を制御するためにユーザが使用することが可能なものであ」るといえる。
　また、引用発明の「プログラム可能なマルチメディアコントローラ400は、
物理的な部屋内の該装置へ制御コマンドを送って、該装置の状態を変更させ、
仮想部屋の外観を更新させ、該仮想部屋及び該仮想部屋内の装置の視覚的描写を描画して、更新された状態（例えば、作動された照明設備）を示し
　したがって、引用発明の「プログラム可能なマルチメディアコントローラ400は、物理的な部屋内の該装置へ制御コマンドを送って、該装置の状態を変更させ、プログラム可能なマルチメディアコントローラ400は、仮想部屋の外観を更新させ、該仮想部屋及び該仮想部屋内の装置の視覚的描写を描画して、更新された状態（例えば、作動された照明設備）を示し」ていることは、本願発明１の「該仮想部屋が、前記物理的な部屋内の前記１つ以上の装置を制御するためにユーザが使用することが可能なものであり、及び前記物理的な部屋内の前記１つ以上の装置により生じる変化を反映するように動的に更新される視覚的外観を有するものである」ことに相当する。
　したがって、本願発明１と引用発明の一致点及び相違点は、次のとおりである。
　[一致点]
「建造物の物理的な部屋内の１つ以上の装置を制御する仮想部屋ベースのユーザインタフェイスの仮想部屋を生成する方法であって、
　該物理的な部屋内の該１つ以上の装置により提供される１つ以上のサービスを選択するようモバイル装置のユーザに指示し、該１つ以上の装置の各々が該装置に対応するサービスを提供するものであり、
　前記物理的な部屋の複数のイメージを取得し、該複数のイメージの各々が実質的に同じ視点を共有するものであり、
　複数のイメージを位置合わせして、位置合わせされたイメージスタックを生成し、
　前記位置合わせされたイメージスタックに基づいて仮想部屋を生成し、該仮想部屋が、前記物理的な部屋内の前記１つ以上の装置を制御するためにユーザが使用することが可能なものであり、及び前記物理的な部屋の前記１つ以上の装置により生じる変化を反映するように動的に更新される視覚的外観を有するものである、
　仮想部屋ベースのユーザインタフェイスの仮想部屋を生成する方法。」
　[相違点１]　本願発明１は、物理的な部屋の複数のイメージを「前記モバイル装置上」で取得しているのに対し、引用発明は、物理的な部屋の複数のイメージを「インストーラ」で取得している点。
　［相違点２］　本願発明１は、「前記モバイル装置で」該複数のイメージを位置合わせして、位置合わせされたイメージスタックを生成しているのに対して、引用発明は、「インストーラで」該複数のイメージを位置合わせして、位置合わせされたイメージスタックを生成している点。
　［相違点３］　本願発明１は、「前記モバイル装置上で１つ以上のヒットボックスを指定し、該１つ以上のヒットボックスの各々が、前記１つ以上の装置のうちの１つと一致するものであ」るのに対して、引用発明には、そのような構成を備えることが特定されていない点。
　［相違点４］　本願発明１は、「前記モバイル装置上で」位置合わせされたイメージスタック「及び前記指定された１つ以上のヒットボックス」に基づいて仮想部屋を生成しているのに対して、引用発明は、「インストーラ上で」位置合わせされたイメージスタックに基づいて仮想部屋を生成している点。　
（２）判断
　事案に鑑みて、相違点４について先に検討する。
　ア　上記「第４　２．」を参照すると、引用文献２には、「エアコン４及びテレビ５は部屋３の内部に設置されている設備であり、
通信装置１０を所持するユーザが、エアコン４及びテレビ５の動作を指示するためのシステムであり、
指示装置３０および移動装置４０は、ユーザの指示を中継する中継装置であり、
通信装置１０は、例えば、スマートフォンやタブレット端末などであり、
通信装置１０は、タッチスクリーン部１５０とを備え、
表示面に表示される撮影画像において、テレビ５の画面部分を含むように領域Ｅ２を選択し、
「テレビ電源ＯＮ／ＯＦＦ」という文字列を、領域Ｅ２をショートカット領域として対応付けるものとして選択し、選択された「テレビ電源ＯＮ／ＯＦＦ」という文字列が示すコマンドのコマンドデータと、領域Ｅ２を示すデータとを対応付けて記憶し、
撮影画像Ｃ４を見て、テレビ５の電源が入っていないことを確認し、テレビ５の電源を入れる操作、すなわち領域Ｅ２を選択する操作を行う」ことが記載されている。
　ここで、「タッチスクリーン部１５０」は、「画像を表示するとともにユーザの操作を受け付ける手段」であるから、「ユーザインターフェイス」といえる。また、「表示面」とは、スマートフォンやタブレット端末である通信装置１０の「表示面」であるから、「モバイル装置上の表示面」といえ、「領域Ｅ２」は、ユーザがタッチする長方形の領域であるから、「ヒットボックス」といえる。
　そして、「テレビ電源ＯＮ／ＯＦＦ」という「コマンド」と「領域Ｅ２」とが対応づけられ、テレビ電源ＯＮ／ＯＦＦというコマンドは表示されたテレビという装置と一致しているから、「ヒットボックス」を指定して、当該ヒットボックスが１つ以上の装置と一致するものであるといえる。
　したがって、引用文献２には、「前記モバイル装置上で１つのヒットボックスを指定し、該１つのヒットボックスが、前記１つ以上の装置のうちの１つと一致するものである」ことは記載されていると認められる。
　しかしながら、引用文献２は「仮想部屋」を生成するものではなく、本願発明１のように「「前記モバイル装置上で」位置合わせされたイメージスタック「及び前記指定された１つ以上のヒットボックス」に基づいて仮想部屋を生成」していることは、何ら記載も示唆もされていない。
イ　上記ア．において検討したとおり、引用文献２には、「前記モバイル装置上で」位置合わせされたイメージスタック「及び前記指定された１つ以上のヒットボックス」に基づいて仮想部屋を生成することについて記載も示唆もされていない。
　そして、上記相違点についての記載も示唆もない、引用発明及び引用文献２をどのように組み合わせても、本願発明１の「前記モバイル装置上で」位置合わせされたイメージスタック「及び前記指定された１つ以上のヒットボックス」に基づいて仮想部屋を生成しているとの構成には至らない。
ウ　また、本願発明１のように、「「前記モバイル装置上で」位置合わせされたイメージスタック「及び前記指定された１つ以上のヒットボックス」に基づいて仮想部屋を生成」している点が、周知技術であるとも認められない。
　よって、当業者といえども、引用発明及び引用文献２に記載された技術的事項に基づいて、本願発明１のように、「前記モバイル装置上で」位置合わせされたイメージスタック「及び前記指定された１つ以上のヒットボックス」に基づいて仮想部屋を生成している、という構成を容易に想到することはできない。
　したがって、他の相違点について検討するまでもなく、本願発明１は、当業者であっても引用発明及び引用文献２に記載された技術的事項に基づいて容易に発明できたものであるとはいえない。
　２．本願発明２−１０について
　本願発明２−１０は、本願発明１を減縮した発明であって、本願発明２−１０も、本願発明１の上記相違点４に係る「前記モバイル装置上で」位置合わせされたイメージスタック「及び前記指定された１つ以上のヒットボックス」に基づいて仮想部屋を生成しているという構成と同一の構成を備えるものであるから、本願発明１と同じ理由により、当業者であっても、引用発明及び引用文献２に記載された技術的事項に基づいて容易に発明できたものとはいえない。
　３．本願発明１１について
　本願発明１１は、本願発明１に対応するモバイル装置の発明であり、本願発明１の上記相違点４に係る「前記モバイル装置上で」位置合わせされたイメージスタック「及び前記指定された１つ以上のヒットボックス」に基づいて仮想部屋を生成しているという構成と同一の構成を備えるものであるから、本願発明１と同じ理由により、当業者であっても、引用発明及び引用文献２に記載された技術的事項に基づいて容易に発明できたものとはいえない。
　４．本願発明１２−１７について
　本願発明１２−１７は、本願発明１１を減縮した発明であって、本願発明１２−１７も、本願発明１の上記相違点４に係る「前記モバイル装置上で」位置合わせされたイメージスタック「及び前記指定された１つ以上のヒットボックス」に基づいて仮想部屋を生成しているという構成と同一の構成を備えるものであるから、本願発明１１と同じ理由により、当業者であっても、引用発明及び引用文献２に記載された技術的事項に基づいて容易に発明できたものとはいえない。
第６　原査定について
　本願発明１―１７は、前記「第５」で検討したとおり、当業者であっても、原査定において引用された引用文献１ないし２に記載された発明に基づいて、容易に発明できたものとはいえない。
　したがって、原査定の理由を維持することはできない。
第７　むすび
　したがって、原査定の理由によっては、本願を拒絶することはできない。
　また、他に本願を拒絶すべき理由を発見しない。
　よって、結論のとおり審決する。